(57)【要約】【課題】構造が簡単であって組み立てることの容易な室内用間仕切りを提供する。【解決手段】室内用間仕切りは、角管形状の４本の短尺支柱２１及び長尺支柱２３を、各支柱の開口端に圧接される圧接面を２面有し、それら２面の圧接面の相対角度を２７０度としている角部材３０で矩形枠状に連結した第１及び第２の仕切枠１１，１２を備える。短尺支柱２１及び長尺支柱２３は、開口端内にねじ受け部を有し、角部材３０の各圧接面は、各圧接面の反対面からねじ孔を挿通されたねじのねじ受け部への螺合で反対面が開口端の方向に押し付けられることに応じて圧接面が開口端に押し付け固定される。第２の仕切枠１２が連結される方向に延びる短尺支柱２１は、当該短尺支柱２１を含む第１の仕切枠１１の枠外に向く外周側面に第２の仕切枠１２に向けて延びて第２の仕切枠１２に連結されるための連結部材５０が固定される。【選択図】図１
2019085699.tif 000002
【特許請求の範囲】
【請求項１】
室内用間仕切りであって、
角管形状の４本の支柱を、前記支柱の開口端に圧接される圧接面を２面有し、それら２面の圧接面の相対角度を２７０度としている角部材で矩形枠状に連結した仕切枠を備え、
前記支柱は、前記開口端における角管内に前記支柱の長手方向をねじ込み方向とするねじ受け部を有し、
前記角部材の各圧接面は、前記ねじ込み方向に対して前記ねじ受け部に対向する位置にねじ孔を有し、前記各圧接面の反対面から前記ねじ孔を挿通されたねじの前記ねじ受け部への螺合で前記反対面が前記開口端の方向に押し付けられることに応じて前記圧接面が前記開口端に押し付け固定され、
前記支柱のうち、他の仕切枠が連結される方向に延びる支柱は、当該支柱を含む前記仕切枠の枠外に向く外周側面に前記他の仕切枠に向けて延びて前記他の仕切枠に連結されるための連結部材が固定される
室内用間仕切り。
【請求項２】
前記角部材は、９０度の相対角度を有する２つの板状部を有し、各板状部に前記圧接面と前記反対面とが設けられているとともに、前記相対角度を挟む２つの反対面に直交し、かつ、前記２つの反対面の各側辺を含む平面を有し、
前記平面は、前記仕切枠の形成する矩形の外周の内側に収まる広さを有する
請求項１に記載の室内用間仕切り。
【請求項３】
前記支柱は、前記外周側面に対する両側面を前記外周側面よりも突出させた幅ガイドを有し、
前記連結部材は、前記仕切枠の外周側面において前記幅ガイドの間に固定される
請求項１又は２に記載の室内用間仕切り。
【請求項４】
前記幅ガイドの突出する方向の先端は、前記外周側面に対向する張出部を備える
請求項３に記載の室内用間仕切り。
【請求項５】
前記ねじ受け部は、前記支柱の長手方向に連続して設けられており、
前記圧接面は、前記開口端の形成する内周の少なくとも一部に沿うとともに、前記ねじ受け部に対向しない位置に凸部が設けられている
請求項１〜４のいずれか一項に記載の室内用間仕切り。
【請求項６】
前記４本の支柱のうち、前記他の仕切枠が連結される方向に延びる支柱の両端は、前記開口端に近い位置に前記支柱の長手方向に並んでいて枠内外方向に貫通する複数の貫通孔を有し、
前記連結部材は、前記長手方向に並ぶ複数の貫通孔のうちの少なくとも２つに挿入される２つのねじ止め用凸部を有する
請求項１〜５のいずれか一項に記載の室内用間仕切り。
【請求項７】
前記連結部材は、前記外周側面に向く面の方向は維持しつつ、前記連結部材の長手方向の途中で長手方向の向きが６０度以上、かつ、１２０度以下の角度に変化している
請求項１〜６のいずれか一項に記載の室内用間仕切り。
【請求項８】
前記連結部材は、前記仕切枠で対向する２つの支柱の各外周側面に固定可能であり、
前記仕切枠において下部となる支柱に固定された前記連結部材の下部には脚部が取り付けられる
請求項１〜７のいずれか一項に記載の室内用間仕切り。
【請求項９】
前記仕切枠を複数有し、
前記仕切枠のうちの少なくとも２つが６０度以上、かつ、１２０度以下の角度で連結されている
請求項１〜８のいずれか一項に記載の室内用間仕切り。
【請求項１０】
前記支柱及び前記角部材は、アルミニウムを主成分とする金属材料からなる
請求項１〜９のいずれか一項に記載の室内用間仕切り。
【発明の詳細な説明】
【技術分野】
【０００１】
本発明は、室内空間を仕切る室内用間仕切りに関する。
【背景技術】
【０００２】
従来、上述のような室内用間仕切りとして、複数本の支柱の間に間仕切りパネルを連結して間仕切とする技術が知られている（例えば、特許文献１参照）。
特許文献１に記載の室内用間仕切りは、室内空間を仕切る構成部材として複数本の支柱を含む空間構造体を有している。支柱の本体部は、水平断面が正方形の形状を有するとともに、正方形の各頂点位置に形成される頂角を等分する仮想線上に各頂点位置から外方に向けてそれぞれ延出する複数の延出部を有する。また、支柱の本体部は、正方形の各辺に設けられている連結溝が、溝底部側の内側幅が開口部より幅広な断面溝形状を有している。そして、支柱の本体部は、間仕切りパネルを連結するための連結部材が上述の連結溝を利用して取り付けられる。
【先行技術文献】
【特許文献】
【０００３】
【特許文献１】特開２０１７−８９２４２号公報
【発明の概要】
【発明が解決しようとする課題】
【０００４】
ところで、室内空間は、少なくとも視線が遮られるように区画した領域に新たな機能を与えられることが知られており、このように区画された領域が設けられることも少なくない。近年、オフィス等の機能性や居住性の一層の向上が求められており、室内空間についてもより柔軟に区画できることが望まれている。
【０００５】
このとき、特許文献１に記載の室内用間仕切りは、複数本の支柱を用いて支柱で囲まれた空間を形成し、これに間仕切りパネルを取り付けるといった手間を要する。また、支柱で囲まれた空間には、間仕切りパネルを取り付けるための精度も要求される。このため、上述した視線を遮ることで室内空間を区画しようとするには構造が複雑であり、かつ、組み立てが容易ではない。
【０００６】
本発明は、このような実情に鑑みてなされたものであり、その目的は、構造が簡単であって組み立てることの容易な室内用間仕切りを提供することにある。
【課題を解決するための手段】
【０００７】
上記課題を解決する室内用間仕切りは、室内用間仕切りであって、角管形状の４本の支柱を、前記支柱の開口端に圧接される圧接面を２面有し、それら２面の圧接面の相対角度を２７０度としている角部材で矩形枠状に連結した仕切枠を備え、前記支柱は、前記開口端における角管内に前記支柱の長手方向をねじ込み方向とするねじ受け部を有し、前記角部材の各圧接面は、前記ねじ込み方向に対して前記ねじ受け部に対向する位置にねじ孔を有し、前記各圧接面の反対面から前記ねじ孔を挿通されたねじの前記ねじ受け部への螺合で前記反対面が前記開口端の方向に押し付けられることに応じて前記圧接面が前記開口端に押し付け固定され、前記支柱のうち、他の仕切枠が連結される方向に延びる支柱は、当該支柱を含む前記仕切枠の枠外に向く外周側面に前記他の仕切枠に向けて延びて前記他の仕切枠に連結されるための連結部材が固定される。
【０００８】
このような構成によれば、角部材の相対角度が２７０度である２つの圧接面に、それぞれ支柱の開口端が固定されることで、支柱は９０度の角度で固定される。このとき、角部材の圧接面と支柱の開口端とが面接触による高い摩擦力で接触することになるので、支柱と角部材とをねじ止めだけで必要な強度で確実、かつ、容易に固定できる。角部材としても２つの圧接面を２７０度の相対角度で有する簡単な構造であることから組み立てを容易にする。これにより、室内用間仕切りを構造が簡単であって組み立てることの容易なものとすることができる。
【０００９】
上記室内用間仕切りにおいて、前記角部材は、９０度の相対角度を有する２つの板状部を有し、各板状部に前記圧接面と前記反対面とが設けられているとともに、前記相対角度を挟む２つの反対面に直交し、かつ、前記２つの反対面の各側辺を含む平面を有し、
前記平面は、前記仕切枠の形成する矩形の外周の内側に収まる広さを有する。
【００１０】
このような構成によれば、角部材において圧接面と反対面とが板材に設けられる構造であれば、角部材が接続させる支柱の厚みの分だけ仕切枠が形成する矩形の領域の境界よりも枠の内側に支柱が後退する。よって、角部材は支柱に固定するねじが反対面に取り付けられたとしても、このねじの頭部が仕切枠の枠外にはみ出さない。
【００１１】
また、平面が反対面の少なくとも一部を覆うことから角部材が取り付けられる仕切枠の角の見栄えをよくすることができる。
上記室内用間仕切りにおいて、前記支柱は、前記外周側面に対する両側面を前記外周側面よりも突出させた幅ガイドを有し、前記連結部材は、前記仕切枠の外周側面において前記幅ガイドの間に固定される。
【００１２】
このような構成によれば、幅ガイドによって、連結部材の仕切枠の外周側面への固定が好適になされる。また、幅ガイドは、仕切枠の外周側面に配置される部材を支柱の長さ方向に位置決めすることができる。
【００１３】
上記室内用間仕切りにおいて、前記幅ガイドの突出する方向の先端は、前記外周側面に対向する張出部を備える。
このような構成によれば、張出部によって幅ガイドの強度が高められる。
【００１４】
また、幅ガイドの間に配置される部材を、張出部に引っかけることでより高い強度で固定することが可能になる。
上記室内用間仕切りにおいて、前記ねじ受け部は、前記支柱の長手方向に連続して設けられており、前記圧接面は、前記開口端の形成する内周の少なくとも一部に沿うとともに、前記ねじ受け部に対向しない位置に凸部が設けられている。
【００１５】
このような構成によれば、支柱は、切断長にかかわらず支柱の開口端にねじ受け部が設けられるので開口端に角部材をねじで固定することができる。
また、ねじ受け部に干渉しない凸部によって、角部材の圧接面の開口端への当接が維持されることから開口端の適切な位置に角部材を位置決めすることができる。
【００１６】
上記室内用間仕切りにおいて、前記４本の支柱のうち、前記他の仕切枠が連結される方向に延びる支柱の両端は、前記開口端に近い位置に前記支柱の長手方向に並んでいて枠内外方向に貫通する複数の貫通孔を有し、前記連結部材は、前記長手方向に並ぶ複数の貫通孔のうちの少なくとも２つに挿入される２つのねじ止め用凸部を有する。
【００１７】
このような構成によれば、２つのねじ止め用凸部が２つの貫通孔に挿入されるので、他の仕切枠が連結される方向に延びる支柱の外周側面に連結部材が好適に固定される。
上記室内用間仕切りにおいて、前記連結部材は、前記外周側面に向く面の方向は維持しつつ、前記連結部材の長手方向の途中で長手方向の向きが６０度以上、かつ、１２０度以下の角度に変化している。
【００１８】
このような構成によれば、２つの仕切枠が６０度以上、かつ、１２０度以下の角度で連結されることで、室内用間仕切りを自立させることができる。
上記室内用間仕切りにおいて、前記連結部材は、前記仕切枠で対向する２つの支柱の各外周側面に固定可能であり、前記仕切枠において下部となる支柱に固定された前記連結部材の下部には脚部が取り付けられる。
【００１９】
このような構成によれば、仕切枠の下部に脚部を設けることで床面の多少の凹凸に係わらず、室内用間仕切りを配置することができる。
上記室内用間仕切りにおいて、前記仕切枠を複数有し、前記仕切枠のうちの少なくとも２つが６０度以上、かつ、１２０度以下の角度で連結されている。
【００２０】
このような構成によれば、複数の仕切枠を用いて室内用間仕切りを自由に構成することができる。
上記室内用間仕切りにおいて、前記支柱及び前記角部材は、アルミニウムを主成分とする金属材料からなる。
【００２１】
このような構成によれば、室内用間仕切りを軽量化することができる。また、アルミニウムを主成分とする金属は角管内にねじ受け部が延設された角管を押出成形により製造することができる。
【発明の効果】
【００２２】
本発明によれば、室内用間仕切りを構造が簡単であって組み立てることが容易なものとすることができる。
【図面の簡単な説明】
【００２３】
【図１】室内用間仕切りを２つの仕切枠で具体化した第１の実施形態における斜視図。
【図２】同実施形態における長尺支柱の斜視図。
【図３】同実施形態における短尺支柱の斜視図。
【図４】同実施形態における短尺支柱の端部を拡大した正面図。
【図５】同実施形態における仕切枠の下部の外周側面の斜視図。
【図６】同実施形態における下部の外周側面の構造を分解した分解斜視図。
【図７】同実施形態における角部材の正面斜視図。
【図８】同実施形態における２つの仕切枠の連結部の下部の外周側面の構造を示す斜視図。
【図９】同実施形態における２つの仕切枠の連結部の下部の外周側面の構造を示す斜視図。
【図１０】同実施形態における連結部材の正面斜視図。
【図１１】室内用間仕切りを４つの仕切枠で具体化した第２の実施形態における斜視図。
【図１２】同実施形態における４つの仕切枠の上部の一部を示す上面図。
【図１３】同実施形態における連結部材の正面斜視図。
【図１４】室内用間仕切りを２つの仕切枠で具体化した他の実施形態であって、パネルが取り付けられたときの斜視図。
【図１５】同実施形態におけるパネルを取り付ける部品の斜視図。
【図１６】室内用間仕切りを４つの仕切枠で具体化した他の実施形態であって、パネルが取り付けられたときの斜視図。
【発明を実施するための形態】
【００２４】
（第１の実施形態）
以下、図１〜図１０を参照して、本発明が具体化された室内用間仕切りの第１の実施形態について説明する。
【００２５】
図１に示すように、本実施形態における室内用間仕切り１０は、第１の仕切枠１１と、第２の仕切枠１２と、第１の仕切枠１１と第２の仕切枠１２とを連結する連結部１３とを備える。第１の仕切枠１１及び第２の仕切枠１２は、同様の枠体２０から構成されている。
【００２６】
枠体２０は、矩形状の枠として構成されており、２組の対辺のうちの一方の対辺が上部支柱２０ａ及び下部支柱２０ｂであり、他方の対辺が左支柱２０ｃ及び右支柱２０ｄである。また、本実施形態では、枠体２０の形成する平面において、枠体２０に対して枠体２０に囲まれた範囲内である方向を内周側とし、枠体２０に囲まれた範囲外である方向を外周側とする。
【００２７】
枠体２０は、床面に対して上部支柱２０ａ及び下部支柱２０ｂが水平に配置され、床面に対して左支柱２０ｃ及び右支柱２０ｄが垂直に配置される。枠体２０は、４つの支柱のうちの直交する２つの支柱のそれぞれが、角部材３０で直交連結されることで矩形状を形成する。本実施形態では、左支柱２０ｃ及び右支柱２０ｄの長手方向が上下方向であり、上部支柱２０ａ及び下部支柱２０ｂの長手方向が左右方向であるものとする。
【００２８】
枠体２０は、第１の仕切枠１１と第２の仕切枠１２とを床面に対して非接触に支持する脚部１４，１５を備える。上部支柱２０ａ及び下部支柱２０ｂは、左右方向の端部にそれぞれ複数の貫通孔２７から構成される付属品取付部２１２を有し、付属品取付部２１２の貫通孔２７を利用して各脚部１４，１５が取り付けられている。
【００２９】
枠体２０は、左支柱２０ｃと右支柱２０ｄとの間に２本の横棒２５が上下方向に対して相違する位置に掛け渡されている。左支柱２０ｃ及び右支柱２０ｄは、上下方向に所定の間隔で並ぶ複数の貫通孔２７から構成される付属品取付部２３２を有し、付属品取付部２３２の貫通孔２７を利用して横棒２５が取り付けられている。横棒２５は、一端が左支柱２０ｃの貫通孔２７に固定され、他端が右支柱２０ｄの貫通孔２７に固定されている。また、横棒２５は、上部支柱２０ａ及び下部支柱２０ｂに対して水平となるように配置される。
【００３０】
上部支柱２０ａ及び下部支柱２０ｂは、同一の構造を有する短尺支柱２１から構成されている。また、左支柱２０ｃ及び右支柱２０ｄは、同一の構造を有する長尺支柱２３から構成されている。短尺支柱２１及び長尺支柱２３は、アルミニウムを主成分とする金属材料から押出成形された同様の角管から構成される支柱であって、押出成形された連続管を相違する長さで切断し、貫通孔２７を設けた位置が相違する点が異なる。長尺支柱２３は、長手方向に長さＬ２（図２参照）を有しているとともに、短尺支柱２１は、長手方向に長さＬ２よりも短い長さＬ１（図３参照）を有している。
【００３１】
図２を参照して、長尺支柱２３（左支柱２０ｃ及び右支柱２０ｄ）について説明する。
長尺支柱２３は、断面矩形状の角管から構成されており、平行に相対向する外周側面２３ａと内周側面２３ｂとを備えるとともに、外周側面２３ａ及び内周側面２３ｂに直交しつつ、平行に相対向する２つの横側面２３ｃ，２３ｄを備えている。
【００３２】
外周側面２３ａ及び内周側面２３ｂは、長尺支柱２３の断面において矩形の長辺を含んで構成されている。枠体２０において、外周側面２３ａは外周側に向くように配置され、内周側面２３ｂは内周側に向くように配置される。
【００３３】
２つの横側面２３ｃ，２３ｄは、長尺支柱２３の断面において矩形の短辺を含んで構成されている。枠体２０において、横側面２３ｃ，２３ｄは枠体２０が形成する面に対して垂直方向に向くように配置される。
【００３４】
なお、本実施形態では、矩形の長辺の長さＷ１は、矩形の短辺の長さＴ１よりも長い。
長尺支柱２３は、外周側面２３ａの短手方向の両端にそれぞれ、横側面２３ｃ，２３ｄの面方向において、外周側面２３ａに対して外周側に突出させた幅ガイド２３１を有している。各幅ガイド２３１は、長尺支柱２３の長手方向に連続しているとともに、外周側面２３ａに直交する方向に、外周側面２３ａに対して所定の高さＴ３で突出する凸部２３４を有している。凸部２３４は、外周側面２３ａから離間している先端に、外周側面２３ａの上方に張り出す張出部２３３を備える。張出部２３３は、外周側面２３ａに平行な面を有し、凸部２３４からの所定の張出長さＷ４を有している。
【００３５】
長尺支柱２３の付属品取付部２３２は、複数の貫通孔２７が長手方向に沿って所定の間隔、例えば等間隔で並んで構成される。
長尺支柱２３は、角管内に長辺が長さＷ２、短辺が長さＴ２である内部空間を有している。本実施形態では、長辺の長さＷ２は、短辺の長さＴ２よりも長い。換言すると、角管内の長辺の長さＷ２は、長尺支柱２３の長辺の長さＷ１から２つの横側面２３ｃ，２３ｄの厚みを除いた長さであり、角管内の短辺の長さＴ２は、長尺支柱２３の短辺の長さＴ１から２つの横側面２３ｃ，２３ｄの厚みを除いた長さである。
【００３６】
長尺支柱２３は、内部空間に長尺支柱２３の長手方向に延設されるねじ受け部２６を備える。ねじ受け部２６は、横側面２３ｃ，２３ｄの管内側の面に基端が支持され、ねじが螺合される先端が角管内空間の所定の位置に配置されている。なお、相対向する２つのねじ受け部２６の間には所定の距離Ｇが確保されている。
【００３７】
次に、図３を参照して、短尺支柱２１（上部支柱２０ａ及び下部支柱２０ｂ）について説明する。
短尺支柱２１は、断面矩形状の角管から構成されており、平行に相対向する外周側面２１ａと内周側面２１ｂとを備えるとともに、外周側面２１ａ及び内周側面２１ｂに直交しつつ、平行に相対向する２つの横側面２１ｃ，２１ｄを備えている。
【００３８】
外周側面２１ａ及び内周側面２１ｂは、短尺支柱２１の断面において矩形の長辺を含んで構成されている。枠体２０において、外周側面２１ａは外周側に向くように配置され、内周側面２１ｂは内周側に向くように配置される。
【００３９】
２つの横側面２１ｃ，２１ｄは、短尺支柱２１の断面において矩形の短辺を含んで構成されている。枠体２０において、横側面２１ｃ，２１ｄは枠体２０が形成する面に対して垂直方向に向けて配置される。
【００４０】
短尺支柱２１は、長尺支柱２３の幅ガイド２３１と同様の構成を有する幅ガイド２１１を備えている。幅ガイド２１１は、外周側面２１ａの短手方向の両端にそれぞれ、短尺支柱２１の長手方向に連続するとともに、外周側面２１ａに対して直交する方向に所定の高さＴ３で突出する凸部２１４を有している。凸部２１４は、外周側面２１ａから離間している先端に、外周側面２１ａの上方に張り出す張出部２１３を備える。張出部２１３は、外周側面２３ａに平行な面を有し、所定の張出長さＷ４を有している。外周側面２１ａの両側にある張出部２１３の間には、幅Ｗ４４で所定の間隔が確保されている。矩形の長辺の長さＷ１の長さは、幅Ｗ４４と２つの所定の張出長さＷ４とを加えた長さに等しい。
【００４１】
短尺支柱２１の付属品取付部２１２は、２つの貫通孔２７が長手方向に沿って所定の間隔で並んで構成される。
短尺支柱２１は、角管内の空間に、長尺支柱２３と同様の構造を有するねじ受け部２６であって、短尺支柱２１の長手方向に延設されるねじ受け部２６を備える。
【００４２】
ここで、ねじ受け部２６について詳述する。
ねじ受け部２６は、横側面２１ｃ，２１ｄの管内側の面から角管内空間に延出される支持脚２６１と、支持脚２６１の先端に取り付けられるめねじ部２６２とを備える。支持脚２６１は、基端が固定される横側面２１ｃ，２１ｄに対して直交する方向に延設される。めねじ部２６２は、円周の一部に切れ込み２６３を有する半円筒形状を有している。切れ込み２６３は、半円筒の内径よりも少し大きな外径のねじ山を有するねじがねじ込まれたとき、そのねじ込まれたねじから受ける拡径圧力によって内周面２６４に雌ねじが形成されるとともに、ねじ込まれたねじに対して適切な縮径力を付与する。よって、めねじ部２６２は、ねじ込まれたねじに対して、ねじ込み方向に締結力を付与させるとともに、その締結力が維持されるようにする。
【００４３】
図４を参照して、貫通孔２７について説明する。
短尺支柱２１は、短尺支柱２１の開口端２１ｆから近い位置に長手方向に２つの貫通孔２７を備えている。よって、この２つの貫通孔２７は、開口端２１ｆに設けられる連結部１３を構成する部品の位置決め等に利用することができる。なお、貫通孔２７は、短尺支柱２１及び長尺支柱２３において設けられている位置が相違するが、それらの構造は同様である。以下では、短尺支柱２１に設けられている貫通孔２７について説明し、長尺支柱２３に設けられている貫通孔２７についての説明は割愛する。
【００４４】
貫通孔２７は、内周側面２１ｂに開口する内孔２８と、外周側面２１ａに開口する外孔２９とを備えている。内孔２８は、直径Ｄ１を有する円形孔であり、外孔２９は、内孔２８の直径Ｄ１よりも大きな直径Ｄ２を有する円形孔である。直径Ｄ１及び直径Ｄ２は、外周側面２１ａ及び内周側面２１ｂに垂直な１つの垂直線を中心とする同心円である。貫通孔２７は、外孔２９の直径Ｄ２が内孔２８の直径Ｄ１よりも大きい。そこで、外孔２９に挿通可能な円柱の頂面にねじ孔が形成された凸部を連結部材５０やカバー部材４０に設け、その凸部を内孔２８に向けて外孔２９に挿通させる。続いて、外孔２９の直径Ｄ２程度の大きさの頭部を有するねじを外孔２９に向けて内孔２８に挿通させるとともに、外孔２９に挿通された凸部のねじ孔にねじ込む。これによって、外周側面２１ａに設けられた連結部材５０やカバー部材４０が凸部へのねじの螺合が生じさせる張力によって外周側面２１ａに固定される。よって、相対向する２つのねじ受け部２６の間の所定の距離Ｇは、少なくとも大きな直径Ｄ２よりも長い距離を有している。
【００４５】
図５を参照して、枠体２０の脚部１５の構造について説明する。なお、枠体２０は４つの角を有しているが、ここでは、下部にあって脚部１５を有する角を例にして説明する。
枠体２０の短尺支柱２１と長尺支柱２３とは、角部材３０を介して、短尺支柱２１の長手方向と長尺支柱２３の長手方向とが直交するように接続固定されている。角部材３０は、短尺支柱２１の長手方向と長尺支柱２３の長手方向とが直交する部分を含む位置に配置されており、短尺支柱２１と長尺支柱２３との間に挟まれるように配置されている。本実施形態では、短尺支柱２１と長尺支柱２３とは当接しておらず、短尺支柱２１と長尺支柱２３とは角部材３０を介在させて固定接続される。
【００４６】
短尺支柱２１は、付属品取付部２１２の２つの貫通孔２７を介してカバー部材４０が取り付けられている。カバー部材４０は、第１カバー部４２が外周側面２１ａに固定されるとともに角部材３０の外周側の一部を覆うとともに、第２カバー部４３が角部材３０の外周側の他部を覆う。詳述すると、第１カバー部４２は、外周側面２１ａを短尺支柱２１の長手方向に延設されている部分である。第２カバー部４３は、角部材３０の下部に延設された第１カバー部４２の先端から長尺支柱２３の方向に向かって延出している部分である。また、第１カバー部４２及び第２カバー部４３は、角部材３０に留められたねじの頭が見えなくなるように角部材３０の外周側面を覆う形状を有している。
【００４７】
図６に示すように、角部材３０は、短尺支柱２１の開口端２１ｆに当接する圧接面３２ａを有する板材状の第１圧接部３２と、長尺支柱２３の開口端２３ｆに当接する圧接面３４ａを有する板材状の第２圧接部３４とを備えている。角部材３０は、圧接面３２ａと圧接面３４ａとの相対角度が２７０度になるように配置されている。換言すると、圧接面３２ａの反対面と、圧接面３４ａの反対面とは９０度の相対角度で向かい合うように配置されている。また、圧接面３２ａの反対面の側辺と圧接面３４ａの反対面の側辺とを含む平面としての平面としての角部材側壁３１が、角部材３０の両側面に設けられている。角部材側壁３１は、短尺支柱２１の横側面２１ｃ，２１ｄ及びや長尺支柱２３の横側面２３ｃ，２３ｄと同じ面に含まれる面を含む板状である。なお、角部材側壁３１は、枠体２０が形成する矩形の外周よりもはみ出さない大きさで角部材３０の両側面に設けられている。具体的には、角部材側壁３１は、角部材３０に、短尺支柱２１の幅ガイド２１１を長さＬ３１だけ延長させ、長尺支柱２３の幅ガイド２３１を長さＬ３２だけ延長させた外観を示す態様で設けられている。なお、上述の第１カバー部４２や第２カバー部４３は、２つの角部材側壁３１の間に配置可能な幅Ｗ４４，幅Ｗ４５を有しており、２つの角部材側壁３１の間に入り込んだかたちで配置される。
【００４８】
角部材３０は、内周側に向く面である内周面３７を有している。内周面３７は、短尺支柱２１の長手方向に第１圧接部３２の厚さに対応するマージンを有する第１のマージン部３７１を有し、長尺支柱２３の長手方向に第２圧接部３４の厚さに対応するマージンを有する第２のマージン部３７３と、第１のマージン部３７１と第２のマージン部３７３とを結ぶ連続部３７２とを有している。内周面３７は、所定の距離を有しているので、短尺支柱２１の開口端２１ｆと長尺支柱２３の開口端２３ｆとの間には少なくとも所定の距離が確保される。よって、短尺支柱２１と長尺支柱２３とは離間された態様で角部材３０を介して連結固定される。また、長さＬ３１は、長尺支柱２３の矩形の短辺の長さＴ１と幅ガイド２３１の所定の高さＴ３とを加えた長さに、角部材３０の第１のマージン部３７１と連続部３７２とにより生じる長さを加えた長さになる。さらに、長さＬ３２は、短尺支柱２１の矩形の短辺の長さＴ１と幅ガイド２３１の所定の高さＴ３とを加えた長さに、角部材３０の第２のマージン部３７３と連続部３７２とにより生じる長さを加えた長さになる。
【００４９】
そして、下部支柱２０ｂに対応する短尺支柱２１の開口端２１ｆに、角部材３０の第１圧接部３２の圧接面３２ａが当接された状態で、第１圧接部３２のねじ孔３３を挿通したボルトＢ２が、ねじ孔３３の先にある短尺支柱２１のねじ受け部２６の内周面２６４に螺合する。これによって、短尺支柱２１に角部材３０が締結固定されている。
【００５０】
右支柱２０ｄを構成する長尺支柱２３の開口端２３ｆに、角部材３０の第２圧接部３４の圧接面３４ａが当接された状態で、第２圧接部３４のねじ孔３５を挿通したボルトＢ３がねじ孔３５の先にある長尺支柱２３のねじ受け部２６の内周面２６４に螺合する。これによって、長尺支柱２３に角部材３０が締結固定されている。なお、第２圧接部３４は厚みが厚いことから、ねじ孔３５は、ボルトＢ３においてねじ溝を有する部分が挿通する挿通孔３５１の手前に、ボルトＢ３の頭部が進入可能な拡径部３５２を有している。
【００５１】
短尺支柱２１と長尺支柱２３とが角部材３０で接続固定されたあと、短尺支柱２１の外周側面２１ａにカバー部材４０が取り付けられる。
カバー部材４０は、第１カバー部４２の側面であって外周側面２１ａに対向する側面に貫通孔２７の外孔２９に挿通可能な円柱状の凸部４４を有する。凸部４４は、外孔２９に挿通する方向の端面にねじ孔が形成されており、短尺支柱２１の内周側面２１ｂの内孔２８を挿通されたボルトＢ１が螺合する。凸部４４の延出長は、角管内に短辺の長さＴ２よりも短い長さである。よって、カバー部材４０の凸部４４を有する面は、凸部４４に加えられる締結力に基づいて対向する外周側面２１ａに当接固定される。
【００５２】
また、カバー部材４０は、幅ガイド２１１の間の幅Ｗ４４に入る幅である幅Ｗ４５を有している。幅Ｗ４５は、カバー部材４０が幅ガイド２１１によって位置決めされる幅であり、幅Ｗ４４以下であるが、カバー部材４０と幅ガイド２１１との間に大きな隙間ができない程度の幅に設定されている。カバー部材４０は、第１カバー部４２が長さＬ３を有しており、第２カバー部４３が長さＬ４を有している。第１カバー部４２の長さＬ３は、外周側面２１ａの付属品取付部２１２の２つの貫通孔２７を覆うとともに、短尺支柱２１の開口端２１ｆを角部材３０の方向に延び、角部材３０の第２圧接部３４のねじ孔３５を超える位置までの長さである。また、第２カバー部４３の長さＬ４は、第１カバー部４２の角部材３０の先端から第２圧接部３４の圧接面３４ａの反対面に到達する長さである。これによって、角部材３０は、第１圧接部３２の圧接面３２ａの反対面と、第２圧接部３４の圧接面３４ａの反対面とがボルトＢ２，Ｂ３とともにカバー部材４０によって覆われ、外見上のデザイン性が高められるようになっている。また、カバー部材４０は厚さＴ４が幅ガイド２１１の所定の高さＴ３以上の厚さを有している。これにより、カバー部材４０が幅ガイド２１１の張出部２１３の下に入り込んで、第１カバー部４２と幅ガイド２１１との間に不必要に広い隙間が生じるおそれも小さい。
【００５３】
第１カバー部４２は、外周側面２１ａに対向しない側の面に、円柱形状の脚調整部４５を有している。脚調整部４５は、第１カバー部４２から離間した端部にねじ孔４５ｈを備え、そこに脚４１の接地面４１２の反対側に設けられたねじ部４１３がねじ込みにより取り付けられる。脚調整部４５は、接地面４１２との間の距離が脚４１のねじ込み量により変化することから、接地面４１２が床面に好適に当接するように伸縮調整することができる。
【００５４】
脚調整部４５は、第１カバー部４２の短尺支柱２１の開口端２１ｆを角部材３０の方向に過ぎた位置に設けられているが、第１カバー部４２の基端は内周側面２１ｂに支持され、同先端は第２カバー部４３を介して第２圧接部３４の圧接面３４ａの反対面で支持される。よって、第１カバー部４２が床面を押す荷重により変形するおそれが抑制される。
【００５５】
図７に示すように、角部材３０は、圧接面３２ａに、短尺支柱２１の開口端２１ｆの管内に入り込んで角部材３０の取り付け位置を位置決めする凸部３６が設けられている。なお、圧接面３４ａにも凸部３６が設けられているが、圧接面３２ａに設けられているものと同様であるのでその説明を割愛する。
【００５６】
短尺支柱２１の開口端２１ｆは、短尺支柱２１の矩形状の端面と、ねじ受け部２６の端面と、幅ガイド２１１の端面とを含む単一面を有する。よって、圧接面３２ａの凸部３６は、短尺支柱２１の矩形状の端面と、ねじ受け部２６の端面と、幅ガイド２１１の端面との干渉を避ける位置に設けられている。すなわち、凸部３６は、矩形状の内周よりも内側において、外周側面２１ａ及び内周側面２１ｂに対応して配置される長辺凸部３６１をそれぞれ備えるとともに、横側面２１ｃ，２１ｄに対応して配置される短辺凸部３６２をそれぞれ備える。ところで、横側面２１ｃ，２１ｄにはねじ受け部２６が設けられていることから、横側面２１ｃ，２１ｄに対応する短辺凸部３６２には、ねじ受け部２６の支持脚２６１に対応する位置に切れ目３６３が設けられている。また、２つの長辺凸部３６１は、長手方向中央部を結ぶ中央凸部３６４を備えている。中央凸部３６４は、ねじ受け部２６のめねじ部２６２の配置される領域を回避するために厚さを確保することが難しい長辺凸部３６１の強度を維持している。また、比較的厚さの薄い第１圧接部３２の強度についても維持する。これにより、凸部３６は、長辺凸部３６１と、短辺凸部３６２と、中央凸部３６４とで囲む範囲にねじ受け部２６の配置を可能にしつつ、開口端２１ｆに対する角部材３０の位置決めを可能にしている。
【００５７】
図８〜図１０を参照して、第１の仕切枠１１と第２の仕切枠１２とを連結する連結部１３について説明する。連結部１３は、第１の仕切枠１１が形成する平面と、第２の仕切枠１２が形成する平面とが、直交するように第１の仕切枠１１と第２の仕切枠１２とを連結させている。
【００５８】
図８及び図９に示すように、第１の仕切枠１１と第２の仕切枠１２とは上側及び下側がそれぞれ連結部材５０で連結されている。つまり、連結部材５０は、第１の仕切枠１１の上部支柱２０ａと第２の仕切枠１２の上部支柱２０ａとを連結する。また、連結部材５０は、第１の仕切枠１１の下部支柱２０ｂと第２の仕切枠１２の下部支柱２０ｂとを連結する。なお、以下では、第１の仕切枠１１の下部支柱２０ｂと第２の仕切枠１２の下部支柱２０ｂとを連結する連結部材５０について説明する。上部支柱２０ａを連結する連結部材５０は、下部支柱２０ｂを連結する連結部材５０から脚部１４がなくなったものと同様であるのでその説明を割愛する。
【００５９】
連結部材５０は、概略的には、第１のカバー部材５０Ａと、第２のカバー部材５０Ｂと、第１のカバー部材５０Ａと第２のカバー部材５０Ｂとを９０度の相対角度で結合する中間部材５０Ｃとから構成されている。第１のカバー部材５０Ａと、第２のカバー部材５０Ｂとはそれぞれ、カバー部材４０と同様の構成をしている。すなわち、第１及び第２のカバー部材５０Ａ，５０Ｂの各第１カバー部５２，５３はそれぞれ、外周側面２１ａに当接固定されるとともに、外周側面２１ａから角部材３０の方に延設されている。また、第１及び第２のカバー部材５０Ａ，５０Ｂの各第２カバー部５１はそれぞれ、第１カバー部４２,５３の先端にあって角部材３０の途中で長尺支柱２３の方向に曲がっているとともに、角部材３０の第２圧接部３４まで延設されている。
【００６０】
連結部材５０は、第１及び第２のカバー部材５０Ａ，５０Ｂが、中間部材５０Ｃを介して９０度の相対角度で結合されている。中間部材５０Ｃは、第１カバー部５２，５３との延設方向にあって、第１カバー部５２，５３と同じ平面に含まれる板状の第１中間連結部５４と、板状であって、第１中間連結部５４に対して相対的に鉛直な方向に設けられる第２中間連結部５７とを備えている。
【００６１】
中間部材５０Ｃの第１中間連結部５４は、第１及び第２のカバー部材５０Ａ，５０Ｂの各第２カバー部５１の延設方向を平行に維持させつつ、同各第２カバー部５１の外周側になる面を各第２カバー部５１の９０度の相対角度で向かい合わせている。よって、第１のカバー部材５０Ａの第１カバー部５２が延設される方向と、第２のカバー部材５０Ｂの第１カバー部５３が延設される方向との相対角度が９０度に維持される。
【００６２】
また、中間部材５０Ｃの第２中間連結部５７は、第１及び第２のカバー部材５０Ａ，５０Ｂの各第２カバー部５１の平行に隣接する辺の間に設けられ、それら平行に隣接する辺の間を湾曲面でつないでいる。なお各第２カバー部５１は、角部材側壁３１の間に入り込んでいることから、第２中間連結部５７の湾曲面は、角部材側壁３１を迂回する形状を有している。
【００６３】
よって、連結部材５０は、第１の仕切枠１１の下部支柱２０ｂと第２の仕切枠１２の下部支柱２０ｂとに対して、角部材３０の圧接面３２ａの反対面のボルトＢ２や、圧接面３４ａの反対面のボルトＢ３を第１カバー部５２，５３や各第２カバー部５１によって覆い外見上のデザイン性が高められるようになっている。また、各第２カバー部５１を結合する第２中間連結部５７で第１及び第２のカバー部材５０Ａ，５０Ｂの突き合わせ部を覆うことで外見上のシンプルさが維持されてデザイン性が高められるようにもしている。
【００６４】
そして連結部材５０は、第１の仕切枠１１の下部支柱２０ｂの貫通孔２７に下から挿通した第１カバー部５２のねじ止め用凸部としての凸部５８が、同貫通孔２７の上から挿通された図示しないねじで凸部５８のねじ孔５８ｈに螺合されることで第１の仕切枠１１に固定される。また、第２の仕切枠１２の下部支柱２０ｂの貫通孔２７に下から挿通した第１カバー部５２の凸部５８が、同貫通孔２７の上から挿通された図示しないねじで凸部５８のねじ孔５８ｈに螺合されることで第２の仕切枠１２に固定される。すなわち、第１の仕切枠１１と第２の仕切枠１２とが連結部材５０によって、直角に連結される。
【００６５】
図８に示すように、中間部材５０Ｃの第２中間連結部５７は、下方の面に脚用基台を固定させる脚用基台固定５５と、基台固定ねじ孔５６とを備え、脚用基台固定５５に脚用基台６０が固定されている。脚用基台６０は、脚用基台固定５５に当接される固定部６１と、固定部６１において基台固定ねじ孔５６に対向する位置に設けられてねじ止め孔６２と、円柱形状の脚調整部６３とを備えている。脚用基台６０は、ねじ止め孔６２から基台固定ねじ孔５６にねじ込まれたねじによって脚用基台固定５５に締結固定される。脚調整部６３は、カバー部材４０の脚調整部４５と同様の構成を有し、図示しないねじ孔にねじ込まれた脚４１のねじ込み量によって伸縮調整を調整することができる。
【００６６】
（作用）
短尺支柱２１と長尺支柱２３とが角部材３０で固定される。このとき、短尺支柱２１の開口端２１ｆに角部材３０の圧接面３２ａが面接触し、長尺支柱２３の開口端２３ｆに角部材３０の圧接面３４ａが面接触する。面接触により上下方向、左右方向、及び前後方向の動きが拘束されるため、短尺支柱２１と角部材３０との間の接続、及び、角部材３０と長尺支柱２３との間の接続にがたつきが生じない。これにより、短尺支柱２１と長尺支柱２３とをがたつきの少ない態様で直角に接続することができる。
【００６７】
また、角部材３０は位置決め用の凸部３６が、開口端２１ｆの端面や、ねじ受け部２６の端面との干渉を避けるように配置されているため、各開口端２１ｆ，２３ｆと角部材３０との間の面接触が好適に維持される。
【００６８】
また、従来、支柱と角部材との間のがたつきを小さくする構成として凸部を長くする構成が知られているが、角部材に直交して設けられている長さの長い凸部を短尺支柱２１や長尺支柱２３に差し込むためには、少なくとも凸部の長さに対応するスペースを要する。また、例えば、矩形の３箇所の角を先に留めてから最後の角を留めようとすると、短尺支柱２１と長尺支柱２３との間を離すことができなくなる。仮に、短尺支柱２１と長尺支柱２３との間を無理に離したとしても、短尺支柱２１や長尺支柱２３が変形するおそれもあるし、例え、離すことができたとしても、短尺支柱２１と長尺支柱２３との相対角度が直交しないので角部材の取り付けが難しくなるおそれもある。そのため、こうした構成の場合、組み立て順の一例は、まず、２つの短尺支柱２１の両端にそれぞれ角部材を取り付ける。それから、短尺支柱２１の両端の角部材を長尺支柱２３に取り付けるといった順に制限される。
【００６９】
この点、本実施形態は、角部材３０は位置決め用の凸部３６は、位置決め用であるため突出長が短い。よって、直交配置された短尺支柱２１と長尺支柱２３とに角部材３０を締結する作業において、短尺支柱２１と長尺支柱２３とを大きく移動させたり、離したりすることが不要である。またこうしたことから、枠体２０を形成するときの組み立て順についての制限も緩和される。
【００７０】
本実施形態の室内用間仕切り１０によれば、以下のような効果を得ることができる。
（１）角部材３０の相対角度が２７０度である２つの圧接面３２ａ，３４ａに、短尺支柱２１と長尺支柱２３との開口端２１ｆ、２３ｆが固定されることで、短尺支柱２１と長尺支柱２３とは９０度の角度で固定される。このとき、角部材３０の圧接面３２ａ，３４ａと短尺支柱２１や長尺支柱２３の開口端２１ｆ、２３ｆとが面接触による高い摩擦力で接触することになるので、短尺支柱２１や長尺支柱２３と、角部材３０とをねじ止めだけで必要な強度で確実、かつ、容易に固定できる。角部材３０としても２つの圧接面３２ａ，３４ａを２７０度の相対角度で有する簡単な構造であることから組み立てを容易にする。これにより、室内用間仕切り１０を構造が簡単であって組み立てることの容易なものとすることができる。
【００７１】
（２）角部材３０において圧接面３２ａ，３４ａと反対面とが板材に設けられる構造であれば、角部材３０が接続させる短尺支柱２１や長尺支柱２３の厚み（短辺の長さＴ１）の分だけ枠体２０が形成する矩形の領域の境界よりも枠の内側に短尺支柱２１や長尺支柱２３が後退する。よって、角部材３０は短尺支柱２１や長尺支柱２３に固定するボルトＢ２，Ｂ３が反対面に取り付けられたとしても、このボルトＢ２，Ｂ３の頭部が枠体２０の枠外にはみ出さない。
【００７２】
また、角部材側壁３１が反対面の少なくとも一部を覆うことから角部材３０が取り付けられる枠体２０の角のデザイン性（見栄え）をよくすることができる。
（３）幅ガイド２１１，２３１によって、連結部材５０の枠体２０の外周側面への固定が好適になされる。また、幅ガイド２１１，２３１は、枠体２０の外周側面に配置される部材を短尺支柱２１や長尺支柱２３の長さ方向に位置決めすることができる。
【００７３】
（４）張出部２１３，２３３によって幅ガイド２１１，２３１の強度が高められる。
また、幅ガイド２１１，２３１の間に配置される部材を、張出部２１３，２３３に引っかけることでより高い強度で固定することが可能になる。
【００７４】
（５）短尺支柱２１や長尺支柱２３は、切断長にかかわらず支柱の開口端２１ｆ、２３ｆにねじ受け部２６が設けられるので開口端２１ｆ、２３ｆに角部材３０をボルトＢ２，Ｂ３で固定することができる。
【００７５】
また、ねじ受け部２６に干渉しない凸部３６によって、角部材３０の圧接面３２ａ，３４ａの開口端２１ｆ、２３ｆへの当接が維持されることから開口端２１ｆ、２３ｆの適切な位置に角部材３０を位置決めすることができる。
【００７６】
（６）連結部材５０は、２つのねじ止め用の凸部５８が２つの貫通孔２７に挿入されるので、他の枠体２０が連結される方向に延びる短尺支柱２１の外周側面２１ａに連結部材５０が好適に固定される。
【００７７】
（７）第１の仕切枠１１と第２の仕切枠１２とが９０の角度で連結されることで、室内用間仕切り１０を自立させることができる。
（８）枠体２０の下部に脚部１４，１５を設けることで床面の多少の凹凸に係わらず、室内用間仕切り１０を配置することができる。
【００７８】
（９）第１の仕切枠１１と第２の仕切枠１２とを用いて室内用間仕切り１０を構成することができる。
（１０）短尺支柱２１及び長尺支柱２３をアルミニウムを主成分とする金属材料からなる角管としたので、室内用間仕切り１０を軽量化することができる。また、アルミニウムを主成分とする金属は角管内にねじ受け部２６が延設された角管を押出成形により製造することができる。
【００７９】
（第２の実施形態）
図１１〜図１３を参照して、本発明が具体化された室内用間仕切りの第２の実施形態について説明する。
【００８０】
本実施形態の室内用間仕切り１１０は、隣接する２つの仕切枠が１２０度、又は、１８０度の相対角度で連結されている点が第１の実施形態に記載の室内用間仕切り１０と相違する。以下では主に相違する点について説明し、その他の構成についての詳細な説明は割愛する。
【００８１】
図１１に示すように、室内用間仕切り１１０は、第１〜第４の仕切枠１１１〜１１４を備えている。第１〜第４の仕切枠１１１〜１１４はそれぞれ、同様の枠体２０から構成されている。第１の仕切枠１１１と第２の仕切枠１１２とは、枠体２０が形成する平面のなす角が１２０度となるように連結部１１５で連結されている。同様に、第３の仕切枠１１３と第４の仕切枠１１４とは、枠体２０が形成する平面のなす角が１２０度となるように連結部１１５で連結されている。また、第２の仕切枠１１２と第３の仕切枠１１３とは、枠体２０が形成する平面のなす角が１８０度であって横に並ぶように連結部１１６で連結されている。連結部１１５の下部には脚部１４５が設けられ、連結部１１６の下部には脚部１４６が設けられている。
【００８２】
図１２に示すように、連結部１１５は、２つの枠体２０を上側及び下側にそれぞれ設けた連結部材７０で１２０度の相対角度で連結している。連結部１１６は、２つの枠体２０を上側及び下側にそれぞれ設けた連結部材８０で１８０度の相対角度で直線状に連結している。
【００８３】
図１３に示すように、連結部材７０は、第１の実施形態の連結部材５０の角度が９０度であった構成について、角度を１２０度の構成した点が相違する。つまり、連結部材７０は、概略的には、第１のカバー部材５０Ａと、第２のカバー部材５０Ｂと、第１のカバー部材５０Ａと第２のカバー部材５０Ｂとを１２０度の相対角度で結合する中間部材７０Ｃとから構成されている。
【００８４】
連結部材７０は、第１及び第２のカバー部材５０Ａ，５０Ｂが、中間部材７０Ｃを介して１２０度の相対角度で結合されている。中間部材７０Ｃは、第１カバー部５２，５３との延設方向にあって、第１カバー部５２，５３と同じ平面に含まれる板状の第１中間連結部７４と、板状であって、第１中間連結部７４に対して鉛直な方向に設けられる第２中間連結部７７とを備えている。
【００８５】
第１中間連結部７４は、第１のカバー部材５０Ａと第２のカバー部材５０Ｂとを１２０度の相対角度で結合する点が第１の実施形態の中間部材５０Ｃの第１中間連結部５４と相違するが、その他の構造は同様の構造である板状部材である。
【００８６】
第２中間連結部７７は、相対角度が１２０度である２つの第２カバー部５１をつなぐ湾曲面である点が、相対角度が９０度である２つの第２カバー部５１をつなぐ湾曲面である第１の実施形態の中間部材５０Ｃの第２中間連結部５７と相違するが、その他の構造は同様の構造である湾曲面である。
【００８７】
図１２に示すように、連結部材８０は、幅ガイド２１１及び角部材３０の角部材側壁３１の間に配置可能な部材であり、隣接する枠体２０の両方の短尺支柱２１に渡って配置される長さを有している直線状の部材である。連結部材８０は、一方の枠体２０に配置される部分の構造と、他方の枠体２０に配置される部分の構造とが、長手方向を二分する線に対して線対称の構造を有している。なお、一方の枠体２０に配置される部分の構造と、他方の枠体２０に配置される部分の構造とは、いずれも、第１の実施形態のカバー部材４０の第１カバー部４２と同様の構造を有している。そして、連結部材８０では、２つの第１カバー部４２が、長さ方向中央に足りない長さを補うかたちで、直線状に１本の板状に結合されている。
【００８８】
本実施形態の室内用間仕切り１０によれば、上述した（１）〜（１０）に記載の効果に加えて、以下のような効果を得ることができる。
（１１）隣接する枠体２０が１２０度の角度で連結されることで、室内用間仕切り１１０を自立させることができる。
【００８９】
（１２）第１〜第４の仕切枠１１１〜１１４を用いて室内用間仕切りを自由に構成することができる。
（その他の実施形態）
また、上記実施形態は以下のように変更してもよい。
【００９０】
・上記各実施形態では、横棒２５が取り付けられる場合について例示したが、この横棒にカーテン、スクリーン、パネル、網等を取り付けてもよい。
・上記各実施形態では、付属品取付部２３２に横棒２５が取り付けられる場合について例示した。しかし、これに限らず、付属品取付部には、横棒に加えて、もしくは、横棒に代えて、パネルやモニタの板材状物を固定するための板状や網状の部材や、カーテンやスクリーンを取り付けるための板状や網状の部材や、棚部材や、机の天板や、棚や天板を支持する部材や、椅子やシート、ベンチと連結するための部材等が取り付けられてもよい。
【００９１】
図１４に示すように、第１の実施形態と同様に、室内用間仕切り１０は、第１の仕切枠１１と第２の仕切枠１２とを構成する各枠体２０が連結部１３で９０度の角度で連結されている。各枠体２０は、左支柱２０ｃと右支柱２０ｄとの間に２本の横棒２５が水平方向に平行に掛け渡されているとともに、２本の横棒２５に仕切パネルＳＰ１が取り付けられている。仕切パネルＳＰ１は、表面ＳＰ１ａに取り付けられた取り付け具９０によって横棒２５に取り付けられる。取り付け具９０は、上側の横棒２５用に２つ、下側の横棒２５用に２つが備えられている。よって、仕切パネルＳＰ１が、視線における視界を遮りつつ、視覚的に区画されている感覚が高められる。
【００９２】
図１５に示すように、取り付け具９０は、予め仕切パネルＳＰ１に固定されているフック部９１と、後からフック部９１を覆うカバー部９２とを備えている。
フック部９１は、孔９１２に螺合されたねじ等によって板状の取り付け部９１１が仕切パネルＳＰ１の表面ＳＰ１ａに固定され、取り付け部９１１の左右両端からそれぞれ直交する方向に所定の長さを有して突設されたスペース確保部９１３を備える。スペース確保部９１３は、上側の端部からさらに延出する延出部９３を備える。延出部９３は、延出した先端部が下側に延出してフック状を構成する爪部９１５を備える。爪部９１５は、下方の開放されているフック状の内孤９１６に横棒２５を引っかけることができる。
【００９３】
カバー部９２は、フック部９１を覆う有底の箱状部材であって、フック部９１が横棒２５に引っかけられた状態で、開口部９４をフック部９１に被せて、該カバー部９２と仕切パネルＳＰ１の表面ＳＰ１ａとの間でフック部９１を覆う。詳述すると、カバー部９２は、２つのスペース確保部９１３を挟む面であって、スペース確保部９１３及び延出部９３よりも先に延びる側面９２３と、２つの側面９２３の延出端に沿って仕切パネルＳＰ１の表面ＳＰ１ａに当接する開口部９４以外の部分を覆う外周表面９２１とを備える。
【００９４】
側面９２３は、開口部９４に入口を有する溝部９２５を有し、溝部９２５は、横棒２５が嵌合可能な大きさを有している。例えば、溝部９２５の開口部９４は、内孤９１６の開放される向きに対して略直交する方向に開放されている。
【００９５】
側面９２３は、内面に突起９２４を備えている。突起９２４は、カバー部９２の開口部９４が仕切パネルＳＰ１の表面ＳＰ１ａに当接する位置において、スペース確保部９１３の凹部９１４に嵌合して、カバー部９２をフック部９１に固定させる。
【００９６】
また、図１６に示すように、第２の実施形態と同様に、室内用間仕切り１１０は、第１〜第４の仕切枠１１１〜１１４を構成する各枠体２０が、左支柱２０ｃと右支柱２０ｄとの間に２本の横棒２５が上下方向に対して相違する位置となるように掛け渡されている。この例では、下の横棒２５は、第２の実施形態における位置よりも上側である位置に設けられている。枠体２０の上下で対をなす各横棒２５は、仕切パネルＳＰ２が取り付け具９０を介して取り付けられている。よって、仕切パネルＳＰ２は、仕切パネルＳＰ１と同様に、複数の取り付け具９０で上下の横棒２５に取り付けられる。また、仕切パネルＳＰ２は、横棒２５の上下間隔に対応して、上述の仕切パネルＳＰ１よりも上下方向の長さが短い。よって、近い位置からの視界を遮りつつ、離れた位置から見ての開放感が高められる。
【００９７】
・上記各実施形態では、枠体２０に横棒２５が２本固定されている場合について例示したが、これに限らず、横棒は１本でもよいし、３本以上が固定されていてもよい。
・上記各実施形態は、２つの枠体２０が長尺支柱２３を平行に並べるように連結される場合について例示した。しかしこれに限らず、２つの枠体が短尺支柱を平行に並べるように連結されてもよい。この場合、長尺支柱に連結部材を取り付けることができる貫通孔を設ければよい。
【００９８】
・上記各実施形態では、枠体２０が短尺支柱２１と長尺支柱２３とから構成される場合について例示したが、これに限らず、枠体の４辺の支柱が同じ長さであってもよい。
・上記各実施形態では、カバー部材４０が角部材３０の外周側面を覆う形状を有している場合について例示したが、これに限らず、カバー部材は、脚が設けられる構造を有していれば、角部材の外周側面を覆う形状を有していなくてもよい。
【００９９】
・上記各実施形態では、角部材３０は、第１圧接部３２が短尺支柱２１に当接固定され、第２圧接部３４が長尺支柱２３に当接固定される場合について例示した。しかしこれに限らず、第１圧接部に長尺支柱が当接固定され、第２圧接部に短尺支柱が当接固定されてもよい。
【０１００】
・上記各実施形態では、第２圧接部３４の厚みが第１圧接部３２の厚みよりも厚い場合について例示した。しかしこれに限らず、第２圧接部の厚みと第１圧接部の厚みとが略同じであってもよい。
【０１０１】
・上記各実施形態では、短尺支柱２１及び長尺支柱２３がアルミニウムを主成分とする金属材料からなる角管から構成されている場合について例示した。しかしこれに限らず、管内にねじ止め部を備えた角管であるのであれば、角管がアルミニウムを主成分としない金属材料からなる角管であってもよい。
【０１０２】
・上記各実施形態では、第１の仕切枠１１が形成する平面と、第２の仕切枠１２が形成する平面とが、直交（９０度）、又は、１２０度である場合について例示した。しかしこれに限らず、第１の仕切枠が形成する平面と、第２の仕切枠１２が形成する平面との間の角度は、９０度未満でもよいし、９０度より大きく１２０度未満でもよいし、１２０度よりも大きくてもよい。具体的な角度としては、前述の角度以外に１３５度があげられる。すなわち、連結部材は、０度から１８０度までのうちの任意の角度を取ることができる。
【０１０３】
なお、６０度以上、かつ、１２０度以下であることが好ましい。この角度であれば、連結された２つの仕切枠を安定的に自立させることができる。
・上記各実施形態では、仕切枠の数が２つ、又は４つである場合について例示したが、これに限らず、仕切枠の数は、３つや、５つ以上であってもよい。数が多くなれば、室内空間を仕切枠によって任意の形状に区画することができるようになる。
【０１０４】
・上記各実施形態の角部材３０は位置決め用の凸部３６を有している場合について例示した。しかしこれに限らず、圧接面に凸部がなくてもよい。角部材の圧接面は短尺支柱や長尺支柱の開口端に面接触されるので、凸部がないとしても、ねじで締結されたあとは、締結された位置が好適に維持されるようになる。
【０１０５】
・上記各実施形態において、幅ガイド２１１，２３１の張出部２１３，２３３に対して、引っかけるように部材を固定するようにしてもよい。これにより高い強度での固定が可能になる。
【０１０６】
・上記各実施形態は、幅ガイド２１１，２３１が外周側面２１ａ，２３ａに対して突出するように設けられている場合について例示した。しかしこれに限らず、幅ガイドは、外周側面、内周側面、及び横側面のうちの少なくとも一つの面に設けられていればよい。例えば、幅ガイドが内周側面に設けられてもよい。このとき、幅ガイドの端部の一部が干渉する場合、端部を４５度の角度で切除すことなどにより、干渉しないようにすることができる。
【０１０７】
・上記各実施形態は、幅ガイド２１１，２３１が設けられる場合について例示したが、これに限らず、短尺支柱の幅ガイド及び長尺支柱の幅ガイドの少なくとも一方が設けられていなくてもよい。
【符号の説明】
【０１０８】
１０…室内用間仕切り、１１…第１の仕切枠、１２…第２の仕切枠、１３…連結部、１４，１５…脚部、２０…枠体、２０ａ…上部支柱、２０ｂ…下部支柱、２０ｃ…左支柱、２０ｄ…右支柱、２１…短尺支柱、２１ａ…外周側面、２１ｂ…内周側面、２１ｃ…横側面、２１ｄ…横側面、２１ｆ…開口端、２３…長尺支柱、２３ａ…外周側面、２３ｂ…内周側面、２３ｃ…横側面、２３ｄ…横側面、２３ｆ…開口端、２５…横棒、２６…ねじ受け部、２７…貫通孔、２８…内孔、２９…外孔、３０…角部材、３１…角部材側壁、３２…第１圧接部、３２ａ…圧接面、３３…ねじ孔、３４…第２圧接部、３４ａ…圧接面、３５…ねじ孔、３６…凸部、３７…内周面、４０…カバー部材、４１…脚、４２…第１カバー部、４３…第２カバー部、４４…凸部、４５…脚調整部、４５ｈ…ねじ孔、５０…連結部材、５０Ａ…第１のカバー部材、５０Ｂ…第２のカバー部材、５０Ｃ…中間部材、５１…第２カバー部、５２…第１カバー部、５３…第１カバー部、５４…第１中間連結部、５５…脚用基台固定、５６…基台固定ねじ孔、５７…第２中間連結部、５８…凸部、５８ｈ…ねじ孔、６０…脚用基台、６１…固定部、６２…ねじ止め孔、６３…脚調整部、７０…連結部材、７０Ｃ…中間部材、７４…第１中間連結部、７７…第２中間連結部、８０…連結部材、９０…取り付け具、９１…フック部、９２…カバー部、１１０…室内用間仕切り、１１１…第１の仕切枠、１１２…第２の仕切枠、１１３…第３の仕切枠、１１４…第４の仕切枠、１１５…連結部、１１６…連結部、１４５…脚部、１４６…脚部、２１１…幅ガイド、２１２…付属品取付部、２１３…張出部、２１４…凸部、２３１…幅ガイド、２３２…付属品取付部、２３３…張出部、２３４…凸部、２６１…支持脚、２６２…ねじ部、２６３…切れ込み、２６４…内周面、３５１…挿通孔、３５２…拡径部、３６１…長辺凸部、３６２…短辺凸部、３６３…切れ目、３６４…中央凸部、３７１…第１のマージン部、３７２…連続部、３７３…第２のマージン部、４１２…接地面、４１３…ねじ部、Ｂ１，Ｂ２，Ｂ３…ボルト。
【図１】
2019085699.tif 000003
【図２】
2019085699.tif 000004
【図３】
2019085699.tif 000005
【図４】
2019085699.tif 000006
【図５】
2019085699.tif 000007
【図６】
2019085699.tif 000008
【図７】
2019085699.tif 000009
【図８】
2019085699.tif 000010
【図９】
2019085699.tif 000011
【図１０】
2019085699.tif 000012
【図１１】
2019085699.tif 000013
【図１２】
2019085699.tif 000014
【図１３】
2019085699.tif 000015
【図１４】
2019085699.tif 000016
【図１５】
2019085699.tif 000017
【図１６】
2019085699.tif 000018